(57)【要約】      （修正有）【課題】遮音パネルを複数段に取り付けてなる遮音壁の任意の一つのパネルを落下防止用ワイヤーから簡単に取外しできるパネル落下防止用ワイヤー挿通具を提供する。【解決手段】所定間隔おきに立設された横断面Ｈ形支柱間に、遮音パネルＰが上下複数段に取り付けられてなる遮音壁の各遮音パネルＰに取り付けて、パネル落下防止用ワイヤーＷを挿通するためのパネル落下防止用ワイヤー挿通具Ｋ１であり、略Ｃ字形状の本体と、このＣ字形状本体の開口部を開閉する開閉部材とからなる。【選択図】図４
2011140869.tif 000002
【特許請求の範囲】
【請求項１】
所定間隔おきに立設された横断面Ｈ形支柱間に遮音パネルが上下複数段に取り付けられてなる遮音壁の各遮音パネルに取り付けて、パネル落下防止用ワイヤーを挿通するためのパネル落下防止用ワイヤー挿通具であって、略Ｃ字形状の本体と、このＣ字形状本体の開口部を開閉する開閉部材とからなり、前記開口部から遮音パネルの所要部とパネル落下防止用ワイヤーを着脱するようにしてなるパネル落下防止用ワイヤー挿通具。
【請求項２】
前記Ｃ字形状本体の開口部を開閉する開閉部材はコイルバネからなり、該コイルバネは、その両端部がＣ字形状本体の両端部に嵌まるように配置されると共に、その一端部がＣ字形状本体の一端部に取り付けられてなる請求項１に記載のパネル落下防止用ワイヤー挿通具。
【請求項３】
前記Ｃ字形状本体の開口部を開閉する開閉部材はリング状部材からなり、該リング状部材は、その一端部がＣ字形状本体の一端部に、常時Ｃ字形状本体の開口部をその内側から閉じるべくバネ付勢力を生ぜしめるように取り付けられてなる請求項１に記載のパネル落下防止用ワイヤー挿通具。
【発明の詳細な説明】
【技術分野】
【０００１】
本発明は、高速道路や鉄道等の車両走行に伴う騒音公害を防止する遮音壁に使用されるパネル落下防止用ワイヤー挿通具に関するもので、詳しくは、所定間隔おきに立設された横断面Ｈ形支柱間に遮音パネルが上下複数段に取り付けられてなる遮音壁の各遮音パネルに取り付けて、パネル落下防止用ワイヤーを挿通するためのパネル落下防止用ワイヤー挿通具関する。
【背景技術】
【０００２】
図６の(a) は、従来のパネル落下防止用ワイヤー挿通具３０を取り付けた遮音パネルＰの縦断面図、(b) は同遮音パネルＰの概略横断面図である。この遮音パネルＰは、(a) に示すように、表面板３１と背面板３２との間に吸音材３３を配置し、この吸音材３３と背面板３２との間に空気層３４を設けたものである。そして、この遮音パネルＰの左右側サイドに夫々設けられた側枠３５の上端部側に、アイボルトからなるパネル落下防止用ワイヤー挿通具３０が取り付けられている。
【０００３】
しかして、各遮音パネルＰのパネル落下防止用ワイヤー挿通具３０には、横断面Ｈ形支柱の上端部から垂下されたパネル落下防止用ワイヤーが挿通され、それにより、例えば高架高速道路を走行中の車が遮音パネルＰにぶつかってもパネルＰが高架下に落下するのを防止するようになっている。
【０００４】
ところで、従来のパネル落下防止用ワイヤー挿通具は、上記のようにアイボルトからなるため、支柱間に遮音パネルを上下複数段に取り付けて構築される遮音壁において、例えば遮音パネルの一つが破損したためそのパネルを取り換える時には、上下複数段ある遮音パネルの全てをパネル落下防止用ワイヤーから取り外す必要があり、したがってその取外し作業が非常に面倒で、遮音パネルの取り換え作業に困難を来していた。
【発明の開示】
【発明が解決しようとする課題】
【０００５】
本発明は、上記の課題に鑑み、遮音パネルを上下複数段に取り付けて構築された遮音壁の任意の一つの遮音パネルを容易に取り換え可能なパネル落下防止用ワイヤー挿通具を提供することを目的とする。
【課題を解決するための手段】
【０００６】
上記課題を解決するための手段を、後述する実施形態の参照符号を付して説明すると、請求項１に係る発明は、所定間隔おきに立設された横断面Ｈ形支柱１，１間に遮音パネルが上下複数段に取り付けられてなる遮音壁の各遮音パネルに取り付けて、パネル落下防止用ワイヤーＷを挿通するためのパネル落下防止用ワイヤー挿通具であって、略Ｃ字形状の本体３６と、このＣ字形状本体３６の開口部３６ｏを開閉する開閉部材３７，３８とからなり、前記開口部３６ｏから遮音パネルＰの所要部とパネル落下防止用ワイヤーＷを着脱するようにしてなることを特徴とする。
【０００７】
請求項２は、請求項１に記載のパネル落下防止用ワイヤー挿通具において、前記Ｃ字形状本体３６の開口部３６ｏを開閉する開閉部材はコイルバネ３７からなり、該コイルバネ３７は、その両端部３７ａ，３７ｂがＣ字形状本体３６の両端部３６ａ，３６ｂに嵌まるように配置されると共に、その一端部３７ａがＣ字形状本体３６の一端部３６ａに取り付けられてなることを特徴とする。
【０００８】
請求項３は、請求項１に記載のパネル落下防止用ワイヤー挿通具において、前記Ｃ字形状本体３６の開口部３６ｏを開閉する開閉部材はリング状部材３８からなり、該リング状部材３８は、その一端部３８ａがＣ字形状本体３６の一端部３６ａに、常時Ｃ字形状本体３６の開口部３６ｏをその内側から閉じるべくバネ付勢力を生ぜしめるように取り付けられてなることを特徴とする。
【発明の効果】
【０００９】
上記解決手段による発明の効果を、後述する実施形態の参照符号を付して説明すると、請求項１に係る発明によれば、遮音パネルの一つが破損したためにその遮音パネルを取り換える時に、パネル落下防止用ワイヤーＷを挿通した状態でワイヤーＷを容易に取外し、また新しい遮音パネルＰにワイヤーＷを容易に取り付けることができる。
【００１０】
即ち本発明によれば、遮音パネルを取り換える時に、遮音パネルに取り付けてあるワイヤー挿通具のＣ字形本体３６の開口部３６ｏを開閉する開閉部材を開放操作することによって、Ｃ字形本体３６をパネル落下防止用ワイヤーＷ及び遮音パネルから外すことにより、これによって破損した遮音パネルのみを取り外すことができ、また新しい遮音パネルをワイヤーＷに挿通させる作業も前記開閉部材を操作することによって容易に行なえ、従って遮音パネルの取り換え作業を簡単容易に行なうことができる。又、構造が簡単であるから、安価に提供できる。
【００１１】
請求項２に係る発明によれば、前記Ｃ字形状本体３６の開口部３６ｏを開閉する開閉部材はコイルバネ３７からなり、該コイルバネ３７は、その両端部３７ａ，３７ｂがＣ字形状本体３６の両端部３６ａ，３６ｂに嵌まるように配置されると共に、その一端部３７ａがＣ字形状本体３６の一端部３６ａに取り付けられてなるものであって、常時は図４の(a) に示すようにバネ付勢力で開口部３６ｏを閉じており、図４の(b) に示すようにバネ３７の他端部３７ｂを押して圧縮することで開口部３６ｏを開いた状態で、Ｃ字形状本体３６の端部３６ｂ側を図４の(c) に示すように遮音パネルＰに設けた取付孔２８に挿入することにより、Ｃ字形状本体３６を遮音パネルＰに取り付けることができ、そしてこの状態でバネ３７の一端部３７ｂを押して開口部３６ｏを開くことにより、パネル落下防止用ワイヤーＷの取付け・取外しを極めて容易に行なうことができる。
【００１２】
請求項３に係る発明によれば、前記Ｃ字形状本体３６の開口部３６ｏを開閉する開閉部材はリング状部材３８からなり、該リング状部材３８は、その一端部３８ａがＣ字形状本体３６の一端部３６ａに、常時Ｃ字形状本体３６の開口部３６ｏをその内側から閉じるべくバネ付勢力を生ぜしめるように取り付けられてなり、図５の(b) に示すように、リング状部材３８の他端部３８ｂ側をバネ付勢力に抗して内側へ押して開口部３６ｏを開いた状態で、Ｃ字形状本体３６の端部３６ｂ側を図５の(c) に示すように遮音パネルＰの取付孔２８に挿入することにより、Ｃ字形状本体３６を遮音パネルＰに取り付けることができ、そしてこの状態でリング状部材３８の端部３８ｂを押して開口部３６ｏを開くことによって、パネル落下防止用ワイヤーＷの取付け・取外しを極めて容易に行なうことができる。
【発明を実施するための最良の形態】
【００１３】
以下に本発明の好適な実施形態について図面に基づき説明すると、図１の(a) は本発明に係るパネル落下防止用ワイヤー挿通具が使用される遮音壁の正面図、(b) は左側面図、(c) は水平概略断面図ある。先ず、この遮音壁について説明すると、この遮音壁は、所定間隔おきに立設された横断面Ｈ形支柱１と、隣り合う支柱１，１間における騒音発生側に面する前面側に上下複数段に取り付けられた遮音パネルＰである前面遮音パネル２と、その背面側に上下複数段に取り付けられた同じく遮音パネルＰである背面遮音パネル３と、これら前面遮音パネル２と背面遮音パネル３との間に形成される空気層４と、前面遮音パネル２と背面遮音パネル３との上端部を覆う上カバー５と、その下端部を塞ぐ下カバー６とから構成される。支柱１は、ウエブ１ａと両側のフランジ部１ｂ，１ｃからなるＨ形鋼よりなるもので、ウエブ１ａが道路の長手方向と直交するように配置される。
【００１４】
前面遮音パネル２は、図２に示すように、縦断面下向きコ字形の上枠７と、縦断面上向きコ字形の下枠８と、夫々横断面外向きコ字形の左右側枠９，９とからなる周枠１０内の表面側に、パンチングメタルよりなる表面板１１を配置し、その裏側に、ロックウールやグラスウール等からなる吸音材１３を配置することによって形成されるもので、左右各側枠９が支柱１の前面側フランジ部１ｂにボルト止めされる。
【００１５】
この前面遮音パネル２を形成する上枠７の上面は、水平面ではなく、後端から前端側へ向かって上り傾斜状に形成されている。下枠８の下面も、水平面ではなく、後端から前端側へ向かって上り傾斜状に形成されている。そして、この下枠８の背面側には、隣り合う支柱１，１間に上下複数段に取り付けられる際に下段側前面遮音パネル２の上枠７の背面に接するように差し込まれる差込支持片１５が突設されている。
【００１６】
背面遮音パネル３は、図３に示すように、略々波形状のパネル本体１６と、このパネル本体１６の内面側左右両端部に夫々取り付けられた側枠１７とからなるもので、パネル本体１６の下端部には、前面遮音パネル２と同様に、隣り合う支柱１，１間に背面遮音パネル３が上下複数段に取り付けられる際に下段側背面遮音パネル３の上端部背面に接するように差し込まれる差込支持片１８が突設されている。側枠１７は、前面板部１７ａと、これの一側縁から直角に折曲されてパネル本体１６の断面形状に対応するように形成された端板部１７ｂと、これの先端縁部から直角に折曲された取付片部１７ｃとからなるもので、前面板部１７ａの上下両端部をパネル本体１６の上下両端部に固着し、端板部１７ｂをパネル本体１６の内面に添わせた状態で取付片部１７ｃをパネル本体１６に取付け固定している。
【００１７】
図４の(a) 〜(c) は、本発明に係る他の落下防止用ワイヤー挿通具Ｋ１を示す。この落下防止用ワイヤー挿通具Ｋ１は、略Ｃ字形状の本体３６と、このＣ字形状本体３６の開口部３６ｏを開閉する開閉部材としてのコイルバネ３７とからなるもので、コイルバネ３７は、その両端部３７ａ，３７ｂがＣ字形状本体３６の両端部３６ａ，３６ｂに嵌まるように配置されると共に、その一端部３７ａがＣ字形状本体３６の一端部３６ａに取り付けてあって、常時は(a) に示すようにバネ付勢力で開口部３６ｏを閉じており、(b) に示すようにバネ３７の他端部３７ｂを押して圧縮することで開口部３６ｏを開く。
【００１８】
この落下防止用ワイヤー挿通具Ｋ１の使用にあたっては、図４の(b) に示すように開口部３６ｏを開いた状態で、Ｃ字形状本体３６の端部３６ｂ側を(c) に示すように遮音パネルＰに設けた取付孔２８に挿入することにより、Ｃ字形状本体３６を遮音パネルＰに取り付けることができ、そしてこの状態でバネ３７の一端部３７ｂを押して開口部３６ｏを開くことにより、パネル落下防止用ワイヤーＷの取付け・取外しを行なうことができる。
【００１９】
図５の(a) 〜(c) は、更に他の落下防止用ワイヤー挿通具Ｋ２を示す。この落下防止用ワイヤー挿通具Ｋ２は、略Ｃ字形状の本体３６と、このＣ字形状本体３６の開口部３６ｏを開閉する開閉部材としてのリング状部材３８とからなるもので、リング状部材３８は、その一端部３８ａがＣ字形状本体３６の一端部３６ａに、常時Ｃ字形状本体３６の開口部３６ｏをその内側から閉じるべくバネ付勢力を生ぜしめるように取り付けられている。
【００２０】
しかして、使用にあたっては、図５の(b) に示すように、リング状部材３８の他端部３８ｂ側をバネ付勢力に抗して内側へ押して開口部３６ｏを開いた状態で、Ｃ字形状本体３６の端部３６ｂ側を(c) に示すように遮音パネルＰの取付孔２８に挿入することにより、Ｃ字形状本体３６を遮音パネルＰに取り付けることができ、そしてこの状態でリング状部材３８の端部３８ｂを押して開口部３６ｏを開くことによって、パネル落下防止用ワイヤーＷの取付け・取外しを行なうことができる。
【００２１】
遮音壁の施工にあたっては、所定間隔おきに立設された横断面Ｈ形支柱１における隣り合う支柱１，１間の床Ｆ面側に下カバー６を配して、その両端部を支柱１のフランジ部１ｂ，１ｃ間に嵌合する（図示参照）。尚、各支柱１の上端部からは所要本数のパネル落下防止用ワイヤーＷが垂下され、各ワイヤーＷは、図示しないが、支柱１の中間所要部に設けてあるワイヤー通し孔に適宜に通されている。
【００２２】
こうして遮音パネルＰを、隣り合う支柱１，１間の前面側と背面側とに夫々所要数段に取り付けると共に、各遮音パネルＰに取り付けたワイヤー挿通具Ｋ１に夫々ワイヤーＷを挿通させた後、図１の(a) 及び(b) に示すように、最上段の前面遮音パネル２及び背面遮音パネル３の上端部間を上カバー５で覆い、また隣り合う上カバー５，５の端部どうしを連結用上カバー５ｏで覆って夫々ボルトで固定し、遮音壁の施工を完了する。
【００２３】
上記のようにして施工された遮音壁において、例えば遮音パネルＰの一つが破損したためにその遮音パネルＰを取り換える時には、その遮音パネルＰに取り付けてあるワイヤー挿通具Ｋ１の開放操作することによって、開閉手段３７，３８を開放して、パネル落下防止用ワイヤーＷから外すことにより、破損した遮音パネルＰのみを取り外すことができ、また新しい遮音パネルＰをワイヤーＷに挿通させる作業もワイヤー挿通具Ｋ１によって容易に行なえ、したがって遮音パネルＰの取り換え作業を簡単容易に行なうことができる。
【００２４】
以上説明した実施形態では、このワイヤー挿通具Ｋは、図６に示されるパネル単体型の遮音パネルＰに取り付ける構成について説明したが、当然のことながら、図１〜図３に示すように、互いに離間して配置される前面遮音パネル２と背面遮音パネル３とによって構成される遮音パネルの前面遮音パネル及び背面遮音パネルに夫々取り付けることができるものである。
【図面の簡単な説明】
【００２５】
【図１】(a) は本発明に係るパネル落下防止用ワイヤー挿通具が使用される遮音壁の正面図、(b) は左側面図、(c) は水平概略断面図ある。
【図２】前面遮音パネルの要部を示す斜視図である。
【図３】背面遮音パネルの要部を示す斜視図である。
【図４】パネル落下防止用ワイヤー挿通具の一実施形態を示すもので、(a) は同挿通具の側面図で、開口部が閉じた状態を示し、(b) は開口部が開いた状態の側面図である。（ｃ）は同使用状態を示す図である。
【図５】パネル落下防止用ワイヤー挿通具の他の実施形態を示すもので、(a) は同挿通具の斜視図で、開口部が閉じた状態を示し、(b) は開口部が開いた状態の側面図である。（ｃ）は同使用状態を示す図である。
【図６】(a) は従来のパネル落下防止用ワイヤー挿通具を取り付けた遮音パネルの縦断面図、(b) は同遮音パネルの概略横断面図である。
【符号の説明】
【００２６】
１              横断面Ｈ形支柱
２              前面遮音パネル（遮音パネル）
３              背面遮音パネル（遮音パネル）
Ｐ              遮音パネル
Ｗ              パネル落下防止用ワイヤー
Ｋ１，Ｋ２      パネル落下防止用ワイヤー挿通具
３６            Ｃ字形状の本体
３６ｏ          開口部
３７            コイルバネ（開閉部材）
３８            リング状部材（開閉部材）
【図１】
2011140869.tif 000003
【図２】
2011140869.tif 000004
【図３】
2011140869.tif 000005
【図４】
2011140869.tif 000006
【図５】
2011140869.tif 000007
【図６】
2011140869.tif 000008